(57)【要約】【課題】  無線端末における処理を煩雑とすることなく、通信速度が異なる回線やシステムにて通信を行う。【解決手段】  無線端末１０と、互いに異なる通信速度を有する基地局２０−１及び無線回線２１−１からなる通信経路と基地局２０−２及び無線回線２１−２からなる通信経路との２つの通信経路のうち少なくとも１つの通信経路を介して無線端末１０との間にてデータの送受信を行う基地局制御装置３０とを有してなる無線通信システムにおいて、基地局制御装置３０が、２つの通信経路を介して無線端末１０に送信したデータに対して無線端末１０から送信された応答のうち、最も早く受信した応答が送信されてきた通信経路を介して次のデータを無線端末１０に送信する。【選択図】図１
2006238158.tif 000002
【特許請求の範囲】
【請求項１】
無線端末と、互いに異なる通信速度を有する複数の通信経路のうち少なくとも１つの通信経路を介して前記無線端末との間にてデータの送受信を行う基地局制御装置とを有してなる無線通信システムにおいて、
前記基地局制御装置は、前記複数の通信経路を介して前記無線端末に送信したデータに対して前記無線端末から送信された応答のうち、最も早く受信した応答が送信されてきた通信経路を介して次のデータを前記無線端末に送信することを特徴とする無線通信システム。
【請求項２】
請求項１に記載の無線通信システムにおいて、
前記基地局制御装置は、前記応答を受信した場合、該応答が送信されてきた通信経路以外の通信経路に次のデータを送信しないことを特徴とする無線通信システム。
【請求項３】
請求項１または請求項２に記載の無線通信システムにおいて、
前記基地局制御装置は、前記無線端末にデータを送信してから設定時間経過しても該データに対する応答が受信されない場合、当該無線端末に対して前記複数の通信経路を介してデータを送信することを特徴とする無線通信システム。
【請求項４】
請求項３に記載の無線通信システムにおいて、
前記基地局制御装置は、前記無線端末にデータを送信してから設定時間経過しても該データに対する応答が受信されない場合、前記設定時間経過する度毎に、当該設定時間を長くしていくことを特徴とする無線通信システム。
【請求項５】
請求項１乃至４のいずれか１項に記載の無線通信システムにおいて、
前記基地局制御装置は、定期的に、前記複数の通信経路を介して前記無線端末にデータを送信することを特徴とする無線通信システム。
【請求項６】
無線端末との間にて、互いに異なる通信速度を有する複数の通信経路のうち少なくとも１つの通信経路を介してデータの送受信を行う基地局制御装置であって、
前記無線端末との間にて前記複数の通信経路のうち少なくとも１つの通信経路を介してデータの送受信を行う送受信手段と、
前記複数の通信経路を介して前記無線端末に送信したデータに対して前記無線端末から送信された応答のうち、前記送受信手段にて最も早く受信した応答が送信されてきた通信経路をデータを送受信するための通信経路として選択する通信経路選択手段とを有し、
前記送受信手段は、前記通信経路選択手段にて選択された通信経路を介して次のデータを前記無線端末に送信する基地局制御装置。
【請求項７】
請求項６に記載の基地局制御装置において、
前記通信経路選択手段は、前記送受信手段にて前記応答が受信された場合、該応答が送信されてきた通信経路以外の通信経路を選択しないことを特徴とする基地局制御装置。
【請求項８】
請求項６または請求項７に記載の基地局制御装置において、
前記無線端末にデータを送信してからの時間を計測する計測手段を有し、
前記送受信手段は、前記計測手段において計測された時間が前記計測手段にて設定された設定時間となっても該データに対する応答が受信されない場合、当該無線端末に対して前記複数の通信経路を介してデータを送信することを特徴とする基地局制御装置。
【請求項９】
請求項８に記載の基地局制御装置において、
前記計測手段は、前記無線端末にデータを送信してから設定時間経過しても該データに対する応答が受信されない場合、前記設定時間経過する度毎に、当該設定時間を長くしていくことを特徴とする基地局制御装置。
【請求項１０】
請求項６乃至９のいずれか１項に記載の基地局制御装置において、
前記通信経路選択手段は、データを送受信するための通信経路として前記複数の通信経路を定期的に選択することを特徴とする基地局制御装置。
【請求項１１】
基地局制御装置との間にて、互いに異なる通信速度を有する複数の通信経路のうち少なくとも１つの通信経路を介してデータの送受信を行う無線端末であって、
前記基地局制御装置から送信されてきたデータを前記複数の通信経路を介して受信した場合、最初に受信したデータを取得するとともにその応答を前記基地局制御装置に送信し、その後に受信した同一のデータを破棄するとともにその応答を前記基地局装置に送信する送受信手段を有する無線端末。
【請求項１２】
無線端末と基地局制御装置との間にて、互いに異なる通信速度を有する複数の通信経路のうち少なくとも１つの通信経路を介してデータの送受信を行う無線通信方法であって、
前記基地局制御装置が、前記複数の通信経路を介して前記無線端末にデータを送信する処理と、
前記無線端末が、データを受信した場合にその応答を前記複数の通信経路を介して前記基地局制御装置に送信する処理と、
前記基地局制御装置が、前記無線端末から送信された応答のうち、最も早く受信した応答が送信されてきた通信経路を介して次のデータを前記無線端末に送信する処理とを有する無線通信方法。
【請求項１３】
請求項１２に記載の無線通信方法において、
前記基地局制御装置が、前記応答を受信した場合、該応答が送信されてきた通信経路以外の通信経路に次のデータを送信しないことを特徴とする無線通信方法。
【請求項１４】
請求項１２または請求項１３に記載の無線通信方法において、
前記基地局制御装置が、前記無線端末にデータを送信してから設定時間経過しても該データに対する応答が受信されない場合、当該無線端末に対して前記複数の通信経路を介してデータを送信する処理を有することを特徴とする無線通信方法。
【請求項１５】
請求項１４に記載の無線通信方法において、
前記基地局制御装置が、前記無線端末にデータを送信してから設定時間経過しても該データに対する応答が受信されない場合、前記設定時間経過する度毎に、当該設定時間を長くする処理を有することを特徴とする無線通信方法。
【請求項１６】
請求項１２乃至１５のいずれか１項に記載の無線通信方法において、
前記基地局制御装置が、定期的に、前記複数の通信経路を介して前記無線端末にデータを送信する処理を有することを特徴とする無線通信方法。
【発明の詳細な説明】
【技術分野】
【０００１】
本発明は、無線回線を介して通信を行う無線通信システム、基地局制御装置、無線端末及び無線通信方法に関する。
【背景技術】
【０００２】
近年、移動体通信を代表とする無線通信システムにおいては、回線ケーブル等を施設する必要がないことから、様々な環境で利用されている。その中の１つに、ＣＤＭＡ技術を用いた移動通信システムがある。このＣＤＭＡ技術を用いた移動通信システムは、１つの周波数帯域を数学的に直交する複数のコードによって拡散された信号で共有するものであって、移動局は、無線基地局の通信エリアがオーバーラップする領域においては、その通信エリアを有する複数の無線基地局のそれぞれとの間にてパスを接続し、通信を行っている。すなわち、移動局は、複数のパスで同じ周波数及び速度でデータを送受信することになる。
【０００３】
また、近年においては、無線ＬＡＮを介しての無線通信技術も利用されている。無線ＬＡＮを介しての無線通信は、所定の位置に設置されたアクセスポイントに無線端末がアクセスして無線通信を行うものであり、上述したＣＤＭＡ技術を用いた移動通信システムとは異なる通信速度で通信が行われることになる。
【０００４】
上述したような２つの異なる無線通信システムにおいては、互いに異なる通信速度で無線通信が行われているため、この２つの無線通信システム間を無線端末がシームレスに移動して通信を行うことができない。
【０００５】
ここで、通信速度が互いに異なる２つの基地局と、この２つの基地局にそれぞれ接続された２つの通信網のうちいずれか一方を選択する経路制御装置とを有し、経路制御装置にて選択された通信網を介して基地局と無線端末との間にて通信を行う無線通信システムが考えられている（例えば、特許文献１参照。）。この無線通信システムにおいては、通信速度が速い基地局から無線端末に対して情報の送信が可能か否かを示す制御情報が無線端末から送信され、この制御情報に基づいて、２つの通信網のうちいずれか一方が選択されることになる。これにより、通信速度が異なる通信網を利用して無線端末との間にて通信を行うことができるようになる。
【特許文献１】特開２００３−９２２４号公報
【発明の開示】
【発明が解決しようとする課題】
【０００６】
しかしながら、上述したような特許文献１に記載された無線通信システムにおいては、無線端末にて高速な回線を用いての情報の送受信が可能か否かを示す制御情報を無線端末から送信しなければならないため、特に、高速な回線の電波状態が頻繁に悪くなる場合等において、無線端末における処理が煩雑になってしまうという問題点がある。
【０００７】
本発明は、上述したような従来の技術が有する問題点に鑑みてなされたものであって、無線端末における処理を煩雑とすることなく、通信速度が異なる回線やシステムにて通信を行うことができる無線通信システム、基地局制御装置、無線端末及び無線通信方法を提供することを目的とする。
【課題を解決するための手段】
【０００８】
上記目的を達成するために本発明は、
無線端末と、互いに異なる通信速度を有する複数の通信経路のうち少なくとも１つの通信経路を介して前記無線端末との間にてデータの送受信を行う基地局制御装置とを有してなる無線通信システムにおいて、
前記基地局制御装置は、前記複数の通信経路を介して前記無線端末に送信したデータに対して前記無線端末から送信された応答のうち、最も早く受信した応答が送信されてきた通信経路を介して次のデータを前記無線端末に送信することを特徴とする。
【０００９】
上記のように構成された本発明においては、無線端末と基地局制御装置との間にて、互いに異なる通信速度を有する複数の通信経路のうち少なくとも１つの通信経路を介してデータの送受信を行う場合、まず、基地局制御装置から複数の通信経路を介して無線端末にデータを送信し、無線端末においてデータを受信した場合にその応答を複数の通信経路を介して基地局制御装置に送信し、基地局制御装置において無線端末から送信された応答のうち、最も早く受信した応答が送信されてきた通信経路を介して次のデータを無線端末に送信する。これにより、異なる通信速度を有する複数の通信経路を介して無線端末と基地局制御装置との間にてデータの送受信が行われる場合に、より速い通信速度を有する通信経路が自動的に選択される。
【００１０】
また、前記基地局制御装置は、前記応答を受信した場合、該応答が送信されてきた通信経路以外の通信経路に次のデータを送信しないことを特徴とする。
【００１１】
また、前記基地局制御装置は、前記無線端末にデータを送信してから設定時間経過しても該データに対する応答が受信されない場合、当該無線端末に対して前記複数の通信経路を介してデータを送信することを特徴とする。
【００１２】
また、前記基地局制御装置は、前記無線端末にデータを送信してから設定時間経過しても該データに対する応答が受信されない場合、前記設定時間経過する度毎に、当該設定時間を長くしていくことを特徴とする。
【００１３】
また、前記基地局制御装置は、定期的に、前記複数の通信経路を介して前記無線端末にデータを送信することを特徴とする。
【発明の効果】
【００１４】
以上説明したように本発明においては、無線端末と、互いに異なる通信速度を有する複数の通信経路のうち少なくとも１つの通信経路を介して無線端末との間にてデータの送受信を行う基地局制御装置とを有してなる無線通信システムにおいて、基地局制御装置が、複数の通信経路を介して無線端末に送信したデータに対して無線端末から送信された応答のうち、最も早く受信した応答が送信されてきた通信経路を介して次のデータを無線端末に送信する構成としたため、異なる通信速度を有する複数の通信経路を介して無線端末と基地局制御装置との間にてデータの送受信が行われる場合に、無線端末における処理を煩雑とすることなく、より速い通信速度を有する通信経路を自動的に選択することができる。
【発明を実施するための最良の形態】
【００１５】
以下に、本発明の実施の形態について図面を参照して説明する。
【００１６】
図１は、本発明の無線通信システムの実施の一形態を示す図である。
【００１７】
本形態は図１に示すように、２つの無線回線２１−１，２１−２を介してデータの送受信が可能な無線端末１０と、無線回線２１−１を介して無線端末１０との間にてデータの送受信を行う基地局２０−１と、無線回線２１−２を介して無線端末１０との間にて情報の送受信を行う基地局２０−２と、交換局等の上位装置（不図示）及び基地局２０−１，２０−２と接続され、基地局２０−１，２０−２を制御し、基地局２０−１，２０−２及び無線回線２１−１，２１−２を介して無線端末１０との間にてデータの送受信が可能な基地局制御装置３０とから構成されている。なお、無線回線２１−１，２１−２は互いに通信速度が異なり、無線回線２１−２の通信速度の方が無線回線２１−２の通信速度よりも速くなっている。また、本形態においては、２つの基地局２０−１，２０−２及び１つの無線端末１０しか図示していないが、基地局においては複数、無線端末１０においては１つ以上であればこれらの数は限定されない。
【００１８】
また、無線端末１０には、基地局２０−１，２０−２から送信されたデータを無線信号として受信するとともに、基地局２０−１，２０−２に送信すべきデータを無線信号として無線回線２１−１，２１−２に送信するアンテナ１１及び無線部１２と、アンテナ１１及び無線部１２を介して送受信されるデータを、シーケンス番号が付与されたフレームと呼ばれる単位で送受信し、また、無線回線２１−１，２１−２を介して送信されてきたフレームのうち同一シーケンス番号について初めて受信したフレームを取得してその応答を送信し、既に受信したフレームのシーケンス番号と同一のシーケンス番号が付与されたフレーム、すなわち既に受信したフレームを受信した場合、そのフレームを破棄して応答を返信する送受信手段であるフレーム送受信部１３とが設けられている。また、情報が表示される表示部や、音声情報が出力される音声出力部や、情報を入力するための操作部等が設けられているが、これらは本発明に直接関係しないため、図示は省略する。
【００１９】
また、基地局制御装置３０には、交換局等の上位装置との通信を行う上位通信部３１と、基地局２０−１〜２０−２を介して無線端末１０との間にてフレームを送受信する送受信手段であるフレーム送受信部３２と、フレーム送受信部３２にてフレームが送信されてからの時間を計測する計測手段である時間計測部３３と、フレーム送受信部３２にて受信されたフレーム及び時間計測部３３にて計測された時間に基づいて、無線端末１０との通信経路を選択する通信経路選択手段であるパス選択部３４とが設けられている。なお、パス選択部３４は、無線端末１０に対するフレームの送信開始時や、無線端末１０にフレームを送信してから時間計測部３３にて設定時間が計測された後においてもそのフレームに対する応答がフレーム送受信部３２にて受信されなかった場合、次にフレーム送受信部３２からフレームを送信する通信経路として、基地局２０−１及び無線回線２１−１からなる通信経路と基地局２０−２及び無線回線２１−２からなる通信経路との２つの通信経路を選択し、無線端末１０に対してフレームを送信してから時間計測部３３にて設定時間が計測される前にそのフレームに対する応答がフレーム送受信部３２にて受信された場合、次にフレーム送受信部３２からフレームを送信する通信経路として、上記２つの通信経路のうち、先に受信された応答が送信されてきた通信経路を選択する。また、時間計測部３３は、無線端末１０との間における過去数回のフレーム送信から応答受信までの時間に基づいて設定時間となる再送タイマー時間を算出、設定し、また、無線端末１０との間における過去数回のフレーム送信から応答受信までの時間が再送タイマー時間を超えた場合、次に利用する再送タイマー時間を、現在の再送タイマー時間よりも長く設定していく。
【００２０】
以下に、上記のように構成された無線通信システムにおける無線通信方法についてフローチャートを参照して説明する。
【００２１】
まず、無線端末１０の動作について説明する。
【００２２】
図２は、図１に示した無線通信システムにおける無線端末１０の動作を説明するためのフローチャートである。
【００２３】
無線端末１０は、基地局制御装置３０から送信されたフレームを、基地局２０−１及び無線回線２１−１を介して、あるいは基地局２０−２及び無線回線２１−２を介して受信すると（ステップＳ１）、フレーム送受信部１３において、受信したフレームに付与されたシーケンス番号が、初めて受け取るシーケンス番号であるかどうかを確認し（ステップＳ２）、初めて受け取るシーケンス番号である場合、そのフレームを取得するとともに、そのフレームに付与されたシーケンス番号が含まれた応答を、そのフレームが送信されてきた無線回線及び基地局からなる通信経路を介して送信する（ステップＳ３）。
【００２４】
また、ステップＳ１にて受信されたフレームに付与されたシーケンス番号が、無線端末１０にて既に受け取ったシーケンス番号である場合は、そのフレームを破棄するとともに、そのフレームに付与されたシーケンス番号が含まれた応答を、そのフレームが送信されてきた無線回線及び基地局からなる通信経路を介して送信する（ステップＳ４）。
【００２５】
次に、基地局制御装置３０の動作について説明する。
【００２６】
図３は、図１に示した無線通信システムにおける基地局制御装置３０の動作を説明するためのフローチャートである。
【００２７】
まず、無線端末１０に対してのフレーム送信開始時は、パス選択部３４において、基地局２０−１及び無線回線２１−１からなる通信経路と基地局２０−２及び無線回線２１−２からなる通信経路との２つの通信経路を選択し、フレーム送受信部３２から基地局２０−１，２０−２に対してフレームを送信する（ステップＳ１１）。またその際、時間計測部３３において、再送タイマーがスタートし、フレームが送信されてからの時間を計測する（ステップＳ１２）。
【００２８】
その後、基地局制御装置３０において、無線端末１０から送信された応答を、無線回線２１−１及び基地局２０−１からなる通信経路を介して、あるいは無線回線２１−２及び基地局２０−２からなる通信経路を介して受信すると（ステップＳ１３）、フレーム送受信部３２において、受信した応答に含まれるシーケンス番号が、初めて受け取るシーケンス番号であるかどうかを確認し（ステップＳ１４）、初めて受け取るシーケンス番号である場合、パス選択部３４において、その応答が送信されてきた通信経路を選択し、フレーム送受信部３２から、選択した通信経路を介して次のフレームを無線端末１０に送信する（ステップＳ１５）。また、ステップＳ１３にて受信された応答に含まれるシーケンス番号が、既に受け取ったものである場合は、何も処理は行わない。
【００２９】
このように、基地局制御装置３０から２つの通信経路を介して送信されたフレームに対して無線端末１０から送信された応答のうち先に基地局制御装置３０にて受信された応答が送信されてきた通信経路を介して次のデータが基地局制御装置３０から無線端末１０に送信されるため、高速の通信経路を介して次のデータが送信されることになり、基地局制御装置３０と無線端末１０との間の通信が、低速回線を介してのものから高速回線を介してのものに自動的に切り替えられる。
【００３０】
また、時間計測部３３においては、過去数回のフレーム送信から応答受信までの時間から再送タイマー時間を算出して設定する（ステップＳ１６）。
【００３１】
一方、基地局制御装置３０からフレームが送信されてから、時間計測部３３にて計測された時間が、再送タイマー時間を超えてもそのフレームの応答が受信されない場合は（ステップＳ１７）、パス選択部３４において、基地局２０−１及び無線回線２１−１からなる通信経路と基地局２０−２及び無線回線２１−２からなる通信経路との２つの通信経路を選択し、フレーム送受信部３２から基地局２０−１，２０−２に対してフレームを送信する（ステップＳ１８）。
【００３２】
またその際、時間計測部３３においては、再送タイマー時間を徐々に長い時間に設定していき、それにより、基地局制御装置３０と無線端末１０との間の通信が、低速回線を介してのものに自動的に切り替わる（ステップＳ１９）。
【００３３】
その後、時間計測部３３において、ステップＳ１５，Ｓ１８におけるフレーム送信からの時間を計測する（ステップＳ２０）。
【００３４】
以下に、基地局２０−１及び無線回線２１−１からなる通信経路と基地局２０−２及び無線回線２１−２からなる通信経路との切り替え時の動作について説明する。
【００３５】
図４は、図１に示した無線通信システムにおいて低速の無線回線２１−１を介して通信中の状態で高速の無線回線２１−２を接続した場合のシーケンス図である。
【００３６】
基地局制御装置３０において、無線端末１０に対して基地局２０−１及び無線回線２１−１からなる通信経路を介してフレーム(1)を送信した後に従来の仕組みを利用して、制御信号で無線回線２１−２を接続する。また、無線回線２１−１を接続すると同時に無線端末１０に対して既に送信したフレームを基地局２０−２及び無線回線２１−２からなる通信経路を介して送信する。
【００３７】
無線端末１０は、基地局２０−１及び無線回線２１−１を介してフレーム(1)を受信すると、受信したフレーム(1)を取得するとともにその応答を無線回線２１−１及び基地局２０−１を介して基地局制御装置３０に送信し、その後に基地局２０−２及び無線回線２１−２を介して受信したフレーム(1)を破棄するとともに、その応答を無線回線２１−２及び基地局２０−２を介して基地局制御装置３０に送信する。
【００３８】
すると、無線回線２１−１よりも無線回線２１−２の方が通信速度が速いため、基地局制御装置３０においては、無線回線２１−２及び基地局２０−２を介して送信されてきた応答を先に受信する。なお、その後、無線回線２１−１及び基地局２０−１を介して応答が受信されるが、この応答に含まれるシーケンス番号は、基地局制御装置３０にて既に受け取られているため、その応答が破棄され、何も処理されない。
【００３９】
基地局制御装置３０は、応答が送信されてきた無線回線２１−２及び基地局２０−２からなる通信経路を選択し、無線回線２１−２を介して次のフレーム(2)を送信する。
【００４０】
その後、同様にしてフレーム(3)〜(5)を基地局制御装置３０から無線回線２１−２及び基地局２０−２を介して無線端末１０に送信し、その応答を無線端末１０から無線回線２１−２及び基地局２０−２を介して基地局制御装置３０に送信することで、基地局制御装置３０と無線端末１０との間の通信が、低速の無線回線２１−１を介してのものから高速の無線回線２１−２を介してのものに自動的に切り替えられる。
【００４１】
図５は、図１に示した無線通信システムにおいて無線回線２１−１，２１−２の接続中に高速の無線回線２１−２が開放された場合のシーケンス図である。
【００４２】
基地局制御装置３０において、フレーム(3)までは高速の無線回線２１−２及び基地局２０−２を介して無線端末１０にフレームの送信を完了したが、フレーム(4)を送信した後、このフレーム(4)が無線端末１０には届かず応答が無い場合、時間計測部３３にて計測された時間が再送タイマー時間となる。なお、時間計測部３３においては、過去数回のフレーム送信から応答受信までの時間から再送タイマー時間を算出しており、高速回線の場合は短い時間に、低速回線の場合は長い時間に設定される。
【００４３】
基地局制御装置３０においては、時間計測部３３にて計測された時間が再送タイマー時間となった場合、基地局２０−１及び無線回線２１−１からなる通信経路と基地局２０−２及び無線回線２１−２からなる通信経路との２つの通信経路を介して前のフレーム(4)を無線端末１０に送信する。その応答は、高速の無線回線２１−２を介しては得られないが、低速の無線回線２１−２を介して受信できるはずである。この場合、時間計測部３３にて設定された再送タイマー時間が高速の無線回線２１−２に合わせて短い時間のままだと、低速の無線回線２１−１への同じフレームの輻輳が発生してしまうため、タイムアウトの回数に応じて長くしていくことが重要である。特に、低速の無線回線２１−１の再送タイマー時間にできるだけ早く近づけるため、回線速度の差を考慮する事が重要である。例えば、１００ｋｂｐｓの回線と１００Ｍｂｐｓの回線の場合、一回のタイムアウトで１０倍の時間を長くするように設定し、また、１Ｍｂｐｓの回線と１０Ｍｂｐｓの回線の場合、３倍程度の時間を長くするように設定する。そして、フレームの再送を何度か繰り返すうち、再送タイマー時間が低速の無線回線２１−１に合わされて、低速の無線回線２１−１を介しての通常の処理へ移行する。
【００４４】
図６は、図１に示した無線通信システムにおいて何かの要因で低速の無線回線２１−１が選択されてしまった場合のシーケンス図である。
【００４５】
例えば、高速の無線回線２１−２が瞬断などで一時使えなくなった場合、本発明の仕組みに従えば、無線回線２１−２が解放されれば図５に示した処理と同じになるが、無線回線２１−２が解放されない場合、低速の無線回線２１−１が選択され、今後二度と高速の無線回線２１−２を利用することができなくなる。
【００４６】
そこで、複数の無線回線２１−１，２１−２を接続していることがわかっている場合、基地局制御装置３０から定期的に、基地局２０−１及び無線回線２１−１からなる通信経路と基地局２０−２及び無線回線２１−２からなる通信経路との２つの通信経路を介して無線端末１０にフレームを送信する。そして、高速の無線回線２１−２が見つかった場合は、図３に示した処理によりその高速の無線回線２１−２へ切り替えられる。現在使っている回線が一番高速であれば、そのままである。この機能を有することで、何らかの要因で低速の無線回線に切り替わってしまった場合でも、高速の無線回線に戻すことが可能になる。
【図面の簡単な説明】
【００４７】
【図１】本発明の無線通信システムの実施の一形態を示す図である。
【図２】図１に示した無線通信システムにおける無線端末の動作を説明するためのフローチャートである。
【図３】図１に示した無線通信システムにおける基地局制御装置の動作を説明するためのフローチャートである。
【図４】図１に示した無線通信システムにおいて低速の無線回線を介して通信中の状態で高速の無線回線を接続した場合のシーケンス図である。
【図５】図１に示した無線通信システムにおいて無線回線の接続中に高速の無線回線が開放された場合のシーケンス図である。
【図６】図１に示した無線通信システムにおいて何かの要因で低速の無線回線が選択されてしまった場合のシーケンス図である。
【符号の説明】
【００４８】
１０    無線端末
１１    アンテナ
１２    無線部
１３，３２    フレーム送受信部
２０−１，２０−２    基地局
２１−１，２１−２    無線回線
３０    基地局制御装置
３１    上位通信部
３３    時間計測部
３４    パス選択部
【図１】
2006238158.tif 000003
【図２】
2006238158.tif 000004
【図３】
2006238158.tif 000005
【図４】
2006238158.tif 000006
【図５】
2006238158.tif 000007
【図６】
2006238158.tif 000008